(57)【要約】【課題】入力された音声データから会話等に不要な音声データを削除する。【解決手段】例えば、通話装置のハンドセット１０から入力された音声を音声コーデック１２でコード化する。このコード化音声と、予めメモリにコード化して蓄積（登録）した不要音声と比較し、一致するときは入力音声中の当該音声データを削除する。回線には不要音声データを削除した音声をパケット化して送出する。【選択図】          図１
2004260721.tif 000002
【特許請求の範囲】
【請求項１】
音声中の不要音声をコード化して蓄積するメモリ手段、コード化した入力音声と前記メモリ手段に蓄積された不要音声とを比較する手段、両者が一致したとき当該入力音声を入力音声から削除する手段、を備えたことを特徴とする音声処理装置。
【請求項２】
請求項１に記載された音声処理装置を備え、不要音声を削除した音声信号をパケット化して出力する手段を備えたことを特徴とする通話装置。
【請求項３】
請求項１に記載された音声処理装置を備え、かつコード化した音声パケットを受信する手段、受信した前記音声パケットから不要音声を削除した音声信号をデコードする手段、デコードした音声を出力する手段を備えたことを特徴とする通話装置。
【請求項４】
音声処理装置のコンピュータを、不要音声をコード化して蓄積するメモリ手段、コード化した入力音声と前記メモリ手段に蓄積されたコード化した不要音声とを比較する手段、両者が一致したとき当該入力音声を入力音声から削除する手段、として機能させるための音声処理用プログラム。
【発明の詳細な説明】
【０００１】
【発明の属する技術分野】
本発明は、電話端末装置の通話時等における不要な音声を削除して情報量を抑制するための不要音声除去装置に関するものである。
【０００２】
【従来の技術】
近年はインターネット等のネットワークを利用した電話が普及し始めており、例えば、通常公衆電話ネットワークに接続される電話装置を、公衆電話交換ネットワーク及びパケットネットワークのいずれにも選択的に接続可能なパケット・ネットワーク電話インターフェース・システムが知られている（特許文献１参照）。
インターネット等のネットワークを介して情報を送る場合、その情報はコード化したパケットとして相手側に送る方式が採られているため、例えばインターネット等のネットワークを利用して通話を行う場合においても、音声データはパケット化して送信されることになる。
【０００３】
図４は、通話装置において音声をパケット化して送信する際の通話手順を説明するためのフロー図である。
まず、通話装置のハンドセットをオフフックにして（Ｓ３０１、ＹＥＳ）、ダイアルを操作し（Ｓ３０２）、呼出を行う（Ｓ３０３）。ここで、相手側から応答があると（Ｓ３０４、ＹＥＳ）、通話を開始し（Ｓ３０５）、通話音声をコード化しかつパケット化して送出する（Ｓ３０６）。通話が終了すればハンドセットをオンフックして送受信を終了する。
このように通話などの音声データ送信において、音声をパケット化して送信する方式が普及するに従い、例えば電話装置等の通話装置或いは通信端末装置においても、これまでは単に通話時間（接続時間）で課金するシステムであったものが、パケットされた情報量（データ量）という形での課金システムに変わろうとしている。
【０００４】
【特許文献１】特許第３２０２００３号公報
【０００５】
【発明が解決しようとする課題】
ところがパケット化された情報量についての課金方式では、情報伝達の観点からは本来不必要な音・音声までもパケット化され、課金されることとなる。例えば音声通話において、通話相手側に不要な音・音声もデータとして送信している。しかも、通話相手にとっても不要ともいえる音・音声に対しても課金されているとともに、通信回線上での通信量つまりトラフィックを増やす要因ともなっている。また、課金を要しない例えば音声記録再生装置等においても不要な音・音声データを保存することからメモリが無駄に使われるという問題がある。
そこで、本発明の第１の目的は、従来の欠点を解決するためになされたものであって、その目的は音声（えー、あのー）等の通話等の目的からは本来不要な音・音声（以下単に音声という）については、入力音声から削除することである。
本発明の第２の目的は、前記不要な音声については、パケット化せず、従って通話相手には送信しないようにすることである。
本発明の第３の目的は、通話相手の音声からも同様に不要な音声を削除して聞き易くすることである。
本発明の第４の目的は、音声の記録再生装置において不要な音声を削除することでメモリの節減を図ることである。
【０００６】
【課題を解決するための手段】
請求項１の発明は、音声中の不要音声をコード化して蓄積するメモリ手段、コード化した入力音声と前記メモリ手段に蓄積された不要音声とを比較する手段、両者が一致したとき当該入力音声を入力音声から削除する手段、を備えたことを特徴とする音声処理装置である。
請求項２の発明は、請求項１に記載された音声処理装置を備え、不要音声を削除した音声信号をパケット化して出力する手段を備えたことを特徴とする通話装置である。
請求項３の発明は、請求項１に記載された音声処理装置を備え、かつコード化した音声パケットを受信する手段、受信した前記音声パケットから不要音声を削除した音声信号をデコードする手段、デコードした音声を出力する手段を備えたことを特徴とする通話装置である。
請求項４の発明は、音声処理装置のコンピュータを、音声中の不要音声をコード化して蓄積するメモリ手段、コード化した入力音声と前記メモリ手段に蓄積されたコード化した不要音声とを比較する手段、両者が一致したとき当該入力音声を入力音声から削除する手段、として機能させるための音声処理用プログラムである。
【０００７】
本発明を図面を参照して説明する。図１は本発明の電話端末装置の１実施形態を概略的に示したブロック図である。
図１は電話端末装置の通話用のハンドセットであり、アナログスイッチ１１を介して出力アンプ１３及びスピーカ１４と切換自在となっている。
アナログスイッチ１１にはコード化装置（音声コーデック）１２が接続されており、ここで、ハンドセットからのアナログ信号はコード化されてデジタル信号に変換され、他方、受信したデジタル信号をアナログ信号に変換してハンドセット１０又はスピーカ１４に切換出力する。
【０００８】
音声コーデック１２はバス１５を介してＣＰＵ１６、キーボード、ダイヤル、ファンクションキーから入力装置１７、ＲＡＭ、ＲＯＭ、ＥＥＰＲＯＭ等の領域を備えたメモリ１８、表示用ＬＣＤ１９、デジタル音声信号を発信制御する無線制御部２１に接続されており、無線制御部２１はアンテナ２２に接続されている。
【０００９】
次に、以上の構成を備えた電話端末装置の動作について説明する。
電話端末装置のダイヤル１７でダイヤル後、相手が応答し通話が開始されると、ハンドセット１０のマイク（送話器）より入力されたアナログ音声を音声コーデック１２により符号化（例えば、ＰＣＭ信号に変換）する。
【００１０】
他方、メモリ１８のＲＡＭには予め情報伝達には無関係な不要音声データがコード化した情報として蓄積されており、ＣＰＵ１６は音声コーデック１２でコード化した音声パケットと比較し、一致したときはそのパケットを送信用データから削除する。つまり、送信用音声データから予め登録されている不要音声データと一致した音声パケットを入力された音声パケットから削除し、残りの音声データを無線制御部２１で送信制御してアンテナ２２を介してネットワーク（回線）に送出する。
こうすることで、とくに携帯電話等のパーソナルユースにおいては、予め個人の癖である不要音声（例えば、「えーっと」）を登録しておくことで、本発明をより効率よく機能させることが可能である。
【００１１】
図２は、図４に示した通話装置における音声パケット送出の際に行うＣＰＵ１６における不要音声除去手順を説明するフロー図である。
即ち、例えばハンドセット１０により音声入力を行い（Ｓ１０１）、入力されたアナログ音声を音声コーデックによりコード化及びパケット化する（Ｓ１０２）。次にこのコード化した音声データをメモリ１８のＲＡＭ領域に予め登録した不要音声データと比較又は照合し（Ｓ１０３）、一致する場合には（Ｓ１０４、ＹＥＳ）、その音声データのパケットを削除し（Ｓ１０５）、一致しない場合は有用音声データとして前記無線制御部２１で送信のための制御を施して例えばインターネットなどのネットワーク（回線）に送信する。
【００１２】
図３は不要音声に関する特定データの登録処理の手順を示すフロー図である。まず入力装置１７の例えばキーボード或いはファンクションキーを操作して不要音声登録モードを選択する（Ｓ２０１）。この状態で例えばハンドセット１０に向かって例えば会話で頻繁に使用する不要音声を発声するか、或いは通話を録音しておいて、通話を再生しながら不要な音声を拾い上げて順次入力する（Ｓ２０２）。次に、このようにして入力した不要音声を音声コーデック１２でコード化すると共に（Ｓ２０３）、コード化した不要音声データを例えばメモリ１８のＲＡＭ領域に格納する（Ｓ２０４）。
メモリ１８に格納した不要音声データは入力装置１７で再生モードを選択することで再生され、ここでメモリ１８に保存しておくか否かの確認を行い（Ｓ２０６）、保存しておくべきでないと判断したときはメモリ消去を行い（Ｓ２０７）、それ以外のものはそのまま保存しておく。
【００１３】
以上の説明では、発信者の通話に関して説明したが、受話についても同様に音声パケットから音声コーデックによりアナログ音声に変換する際に、ＣＰＵ１６は受信した音声コードデータとメモリ１８の例えばＲＡＭ領域に予め登録した不要音声データとを比較し、一致したときはその音声データパケットを不要音声として削除する。このように受信音声から不要音声を削除することで聞き易くするとともに高齢者等、通常スピードでは聞き取りにくい使用者でも容易に聞き取れるように、周知の音声速度制御装置により削除した音声パケットの空き時間を利用して出力音声のスピードを遅延させて聞き取り易くすることができる。また、通話等においてリアルタイムで音声を出力する場合に、不要音声削除により音声が途切れることの不自然さを解消することができる。
【００１４】
本発明の不要音声除去装置は、電話端末装置だけでなく、留守番録音機能の録音再生やＩＣレコーダー等の録音・再生等で広く用いることができる。
【００１５】
本発明は、以上で説明した不要音声の削除処理を音声処理装置のＣＰＵ１６等から構成されるコンピュータで実行させるためのプログラムをも提供する。
このプログラムはＭＯ、ＣＤ−ＲＯＭ、ＤＶＤ−ＲＯＭ等の周知のコンピュータ読み取り可能な記録媒体に記録して提供することができる。
【００１６】
【発明の効果】
請求項１、４に対応する効果：音声情報として不要である音声データを認識・識別し、識別された音声パケットを削除することで、音声の情報量を削減することができる。
請求項２に対応する効果：通話に不要な音声パケットを回線上に送出させないことで、音声通話におけるデータ量の削減となり、それに伴う課金が低減できるとともに、通話相手にとっては聞きずらい原因となる不要音声がなくなることで聞きやすくなる。また、回線上のトラフィックが低減されることから、パケットの輻輳によるパケットデータの伝送速度遅延等品質の低下防止も防止することができる。
請求項３に対応する効果：音声情報として不要である音声データを認識・識別し、識別された音声パケットを削除することで、音声の情報量を削減することができ、保存する場合等において必要なメモリ容量を低減することができる。
【図面の簡単な説明】
【図１】本発明の音声処理装置を備えた通話装置を概略的に示すブロック図である。
【図２】図１の通話装置における音声パケットを送出する処理手順を説明するためのフロー図である。
【図３】本発明の音声処理装置における不要データ登録処理手順を説明するためのフロー図である。
【図４】通話装置において音声情報をパケット化して送信する際の通話手順を説明するためのフロー図である。
【符号の説明】１０・・・ハンドセット、１２・・・音声コーデック、１４・・・スピーカ、１６・・・ＣＰＵ、１７・・・入力装置、１８・・・記憶手段、２０・・・ＬＣＤ、２１・・・無線制御部、２２・・・アンテナ。
【図１】
2004260721.tif 000003
【図２】
2004260721.tif 000004
【図３】
2004260721.tif 000005
【図４】
2004260721.tif 000006
【手続補正書】
【提出日】平成15年3月6日(2003.3.6)
【手続補正１】
【補正対象書類名】明細書
【補正対象項目名】０００７
【補正方法】変更
【補正の内容】
【０００７】
【発明の実施の形態】
本発明を図面を参照して説明する。図１は本発明の電話端末装置の１実施形態を概略的に示したブロック図である。
図１は電話端末装置の通話用のハンドセットであり、アナログスイッチ１１を介して出力アンプ１３及びスピーカ１４と切換自在となっている。
アナログスイッチ１１にはコード化装置（音声コーデック）１２が接続されており、ここで、ハンドセットからのアナログ信号はコード化されてデジタル信号に変換され、他方、受信したデジタル信号をアナログ信号に変換してハンドセット１０又はスピーカ１４に切換出力する。